(57)【要約】      （修正有）【課題】インレット形状の異なるＲＦＩＤタグに対しても適切なデータの読み出し又は書き出しを行うことが可能なリライタブルプリンタを提供する。【解決手段】給紙口側に配され、感熱記録媒体Ｍの印刷層に印刷された画像を消去する消去部３と、排紙口側に配され、印刷層に画像を印刷する印刷部４と、感熱記録媒体Ｍを載置し得る載置部６１を有し、消去部３と印刷部４との間の搬送経路上で載置部６１を運搬する運搬機構６と、搬送経路上に設けられ、感熱記録媒体ＭのＲＦＩＤタグに対してデータの読み出し及び書き込みを行う第１リーダライタ７、第２リーダライタ８とを備え、運搬機構６を、載置部６１に載置した感熱記録媒体ＭのＲＦＩＤタグとリーダライタとの相対距離を変更することによってＲＦＩＤタグとリーダライタ７、８とで定まる固有の通信距離に調整する調整機構Ｘとして機能させた。【選択図】図４
2010231544.tif 000002
【特許請求の範囲】
【請求項１】
ＲＦＩＤタグを付帯し、且つ熱可逆的に発色及び消色可能な印刷層を有する感熱記録媒体に対して、前記印刷層への画像の印刷及び前記印刷層に印刷された画像の消去を行うリライタブルプリンタであって、
給紙口側に配され、前記印刷層に印刷された画像を消去する消去部と、
排紙口側に配され、前記印刷層に画像を印刷する印刷部と、
前記感熱記録媒体を載置し得る載置部を有し、前記消去部と前記印刷部との間の搬送経路上で当該載置部を運搬する運搬機構と、
前記搬送経路に対して設けられ、搬送中の前記感熱記録媒体に付帯された前記ＲＦＩＤタグに対してデータの読み書きが可能なリーダライタと、
前記載置部に載置された前記感熱記録媒体のＲＦＩＤタグと前記リーダライタとの相対距離を変更することによって、前記ＲＦＩＤタグと前記リーダライタとで定まる固有の通信距離に調整する調整機構とを具備していることを特徴とするリライタブルプリンタ。
【請求項２】
前記運搬機構が、前記調整機構を兼ねている請求項１に記載のリライタブルプリンタ。
【請求項３】
前記消去部及び前記印刷部を相互に高さ位置を異ならせて設け、
前記運搬機構が、前記載置部を上下移動させるものであり、
前記リーダライタを、上下移動する前記載置部に対して接離する位置に設けている請求項１又は２の何れかに記載のリライタブルプリンタ。
【請求項４】
前記リーダライタを複数配置している請求項１乃至３の何れかに記載のリライタブルプリンタ。
【発明の詳細な説明】
【技術分野】
【０００１】
本発明は、熱可逆的に発色及び消色可能な印刷層を有する感熱記録媒体に対して、印刷層への画像の印刷及び印刷層に印刷された画像の消去を行うリライタブルプリンタに関するものである。
【背景技術】
【０００２】
近時、同じ印刷対象物に対して印刷処理及び消去処理を繰り返し行うことによって紙等の印刷対象物の使用量を削減することが可能なプリンタとして、熱可逆的に発色及び消色する印刷層を有する例えばシート状の感熱記録媒体に対して、印刷層への画像の印刷及び印刷層に印刷された画像の消去を行うリライタブルプリンタが注目されている。
【０００３】
この種の感熱記録媒体には、感熱記録媒体に関するデータ、例えば、印刷層の画像が消去されているか否か、消去された印刷層に次に印刷する画像が何であるか、画像の更新履歴、或いは書き換え回数等のデータを管理できるように、各感熱記録媒体にＲＦＩＤ（Ｒａｄｉｏ  Ｆｒｅｑｕｅｎｃｙ  Ｉｄｅｎｔｉｆｉｃａｔｉｏｎ）タグを埋め込み又は貼り付けたものが考えられており、このようなＲＦＩＤタグ付の感熱記録媒体に対しては、プリンタ内の搬送経路上に設けた単一のリーダライタにより、ＲＦＩＤタグに対してデータの読み出し又は書き込みを行うことができるようにしたリライタブルプリンタが考えられている（特許文献１参照）。
【先行技術文献】
【特許文献】
【０００４】
【特許文献１】特開２００６−１５０７６５号公報
【発明の概要】
【発明が解決しようとする課題】
【０００５】
ところで、同じ周波数帯のＲＦＩＤタグであってもＲＦＩＤタグ全体の形状、換言すればインレットの形状が異なれば、ＲＦＩＤタグとリーダライタとの最適な通信距離も異なる。
【０００６】
しかしながら、従来のリライタブルプリンタは、単一のリーダライタにより、搬送経路上において所定位置に到達した感熱記録媒体のＲＦＩＤタグに対してデータの読み書きを行うものであるため、あるインレット形状のＲＦＩＤタグに対しては最適な通信距離を確保できるものの、異なるインレット形状のＲＦＩＤタグに対しては最適な通信距離を確保することができず、全てのＲＦＩＤタグに対して適切なデータの読み出し又は書き込みを行うことができないという問題があった。
【０００７】
本発明は、このような課題に着目してなされたものであって、主たる目的は、インレット形状の異なるＲＦＩＤに対しても適切なデータの読み出し又は書き出しを行うことが可能なリライタブルプリンタを提供することにある。
【課題を解決するための手段】
【０００８】
すなわち、本発明のリライタブルプリンタは、ＲＦＩＤタグを付帯し、且つ熱可逆的に発色及び消色可能な印刷層を有する感熱記録媒体に対して、印刷層への画像の印刷及び印刷層に印刷された画像の消去を行うものであって、給紙口側に配され、印刷層に印刷された画像を消去する消去部と、排紙口側に配され、印刷層に画像を印刷する印刷部と、感熱記録媒体を載置し得る載置部を有し、消去部と印刷部との間の搬送経路上で載置部を運搬する運搬機構と、搬送経路に対して設けられ、搬送中の感熱記録媒体に付帯されたＲＦＩＤタグに対してデータの読み書きを行い得るリーダライタと、載置部に載置した感熱記録媒体のＲＦＩＤタグとリーダライタとの相対距離を変更することによって、ＲＦＩＤタグとリーダライタとで定まる固有の通信距離に調整する調整機構とを備えていることを特徴とする。
【０００９】
ここで、「画像」とは、感熱記録媒体の印刷層に印刷可能な写真やイラスト、図形に加えて、文字や記号も含む概念である。また、「データ」とは、印刷層の画像が消去されているか否か、消去された印刷層に次に印刷する画像が何であるか、画像の更新履歴、或いは書き換え回数等、ＲＦＩＤタグ自体又はＲＦＩＤタグを付帯した感熱記録媒体に関する情報であり、「画像」と区別するために「データ」という用語を用いる。
【００１０】
このようなものであれば、調整機構によってＲＦＩＤタグとリーダライタとの通信距離を調整することにより、ＲＦＩＤタグ全体の形状、換言すればインレットの形状が異なる場合であっても、各ＲＦＩＤタグとリーダライタとの適正な通信距離を調整することができ、インレット形状の異なるＲＦＩＤに対しても適切なデータの読み出し又は書き出しを行うことができる。
【００１１】
特に、リライタブルプリンタの運搬機構が、調整機構を兼ねるものであれば、別途専用の調整機構を設ける必要がなく、構造の簡素化及びコストの削減に資する。
【００１２】
また、本発明のリライタブルプリンタにおいて、消去部及び印刷部を相互に高さ位置を異ならせて設け、運搬機構が、載置部を上下移動させるものであれば、リライタブルプリンタの設置面積を小さく抑え、プリンタの大型化を防止することができるとともに、リーダライタを、上下移動する載置部に対して接離する位置に設けることにより、載置部の高さ方向に沿った直線移動を利用してリーダライタとの相対距離を変更することができ、リーダライタを可動させる機構が不要となり、構造のさらなる簡素化を図ることができる。
【００１３】
さらに、リーダライタをリライタブルプリント内における搬送経路上に複数配置していれば、ＲＦＩＤタグとリーダライタとのデータ通信をより確実に行うことができる。
【発明の効果】
【００１４】
本発明によれば、ＲＦＩＤタグ全体（インレット）の形状が異なる場合であっても、調整機構によってＲＦＩＤタグとリーダライタとの相対距離を変更してＲＦＩＤタグとリーダライタとで定まる固有の通信距離に調整することにより、各ＲＦＩＤタグとリーダライタとの適正な通信距離を調整することができ、インレット形状の異なるＲＦＩＤに対しても適切なデータの読み出し又は書き出しを行うことができる。また、運搬機構が、調整機構を兼ねているため、専用の調整機構が不要となり、構造の簡素化及びコストの削減を図ることができる。
【図面の簡単な説明】
【００１５】
【図１】本発明の一実施形態に係るリライタブルプリンタの全体概略図。
【図２】同実施形態における感熱記録媒体の平面図を模式的に示す図。
【図３】同実施形態における感熱記録媒体の側面図を模式的に示す図。
【図４】同実施形態に係るリライタブルプリンタの簡略図。
【発明を実施するための形態】
【００１６】
以下、本発明の一実施形態を、図面を参照して説明する。
【００１７】
本実施形態に係るリライタブルプリンタ１は、ＲＦＩＤタグＭａを付帯し、且つ熱可逆的に発色及び消色可能な印刷層Ｍｂを有する感熱記録媒体Ｍに対して、印刷層Ｍｂへの画像の印刷及び印刷層Ｍｂに印刷された画像の消去を行うものである。本実施形態において、「画像」とは、写真やイラスト、図形に加えて、文字や記号も含む概念である。
【００１８】
感熱記録媒体Ｍは、図２及び図３（図２、図３はそれぞれ感熱記録媒体Ｍの平面図、側面図を模式的に示す図である）に示すように、基材たるベース層Ｍｃと、印刷層Ｍｂと、これらベース層Ｍｃと印刷層Ｍｂとの間に挟み込んだＲＦＩＤタグＭａとを備えたシート状の積層体である。ベース層Ｍｃ及び印刷層Ｍｂは、例えばＡ３やＡ４等の用紙サイズに裁断されたものであり、これらベース層Ｍｃ及び印刷層Ｍｂをシート本体と捉えた場合、感熱記録媒体ＭはＲＦＩＤタグＭａをシート本体に内蔵したものといえる。
【００１９】
印刷層Ｍｂは、例えば主としてロイコ染料と可逆顕色剤とを用いてなり、加熱温度や加熱後の冷却速度の相違によって発色状態と消色状態とに切り替わるものである。
【００２０】
ＲＦＩＤタグＭａは、例えばコイル状の導電性材料からなり外部と交信可能なアンテナと、アンテナに接続され、固有の識別子を有するＩＣチップとを備え、アンテナを介して後述するリーダライタ（第１リーダライタ７、第２リーダライタ８）と非接触状態にてＩＣチップ（より具体的にはＩＣチップ内のメモリ）にデータの書き込みや読み出し、書き換えが可能なものである。
【００２１】
リライタブルプリンタ１は、図１及び図４に示すように、給紙口２１を有する給紙部２と、給紙口２１から挿入される感熱記録媒体Ｍの印刷層Ｍｂに印刷された画像を消去する消去部３と、消去部３を通過した感熱記録媒体Ｍの印刷層Ｍｂに画像を印刷する印刷部４と、印刷部４を通過した感熱記録媒体Ｍを外部へ排出するための排出口５１を有する排紙部５とを備えたものである。
【００２２】
給紙部２は、印刷層Ｍｂに画像を印刷した感熱記録媒体Ｍを複数枚重ねて載置可能な給紙トレイ２２と、給紙トレイ２２に載置された感熱記録媒体Ｍを１枚ずつ順次消去部３に向かって送り出す送りローラとを備えたものである。
【００２３】
消去部３は、感熱記録媒体Ｍの印刷層Ｍｂを加熱する消去ヘッド３１と、消去ヘッド３１に対向配置された消去用プラテンローラ３２とを備えたものである。
【００２４】
印刷部４は、感熱記録媒体Ｍの印刷層Ｍｂを加熱する印刷ヘッド４１と、印刷ヘッド４１に対向配置された印刷用プラテンローラ４２とを備えたものである。本実施形態では、消去ヘッド３１及び印刷ヘッド４１として、それぞれサーマルヘッドを適用している。
【００２５】
本実施形態のリライタブルプリンタ１は、印刷部４を消去部３の上方に配置しており、消去部３を通過した感熱記録媒体Ｍは運搬機構６により印刷部４に搬送される。
【００２６】
運搬機構６は、感熱記録媒体Ｍを載置し得る載置部６１と、この載置部６１を消去部３と印刷部４との間の搬送経路上で昇降移動させるリフト部６２とを備えたものである。載置部６１は、トレイ状をなし、リンクメンバ６２１等から構成されるリフト部６２によって水平姿勢を保持したまま最下降位置（Ｕ）と最上昇位置（Ｔ）との間で高さ方向に移動可能なものである。
【００２７】
そして、本実施形態に係るリライタブルプリンタ１は、図４に示すように、消去部３と印刷部４との間の搬送経路上に、感熱記録媒体ＭのＲＦＩＤタグＭａに対してデータの読み出し及び書き込みを行うリーダライタ（第１リーダライタ７、第２リーダライタ８）を設けている。本実施形態では、最下降位置（Ｕ）に位置付けた載置部６１よりもさらに下方に第１リーダライタ７を設けるとともに、最上昇位置（Ｔ）に位置付けた載置部６１よりもさらに上方に第１リーダライタ７とは異なる周波数帯に対応する第２リーダライタ８を設けている。これら第１リーダライタ７及び第２リーダライタ８は、載置部６１の可動範囲を高さ方向に挟む位置に相互に離間して設けられている。第１リーダライタ７はＨＦ帯に対応するものであり、第２リーダライタ８はＵＨＦ帯に対応するものである。
【００２８】
したがって、感熱記録媒体ＭのＲＦＩＤタグＭａがＨＦ帯のものである場合には、第１リーダライタ７とデータ通信を行う一方、ＲＦＩＤタグＭａがＵＨＦ帯のものである場合には、第２リーダライタ８とデータ通信を行う。ここで「データ通信を行う」とは、リーダライタからＲＦＩＤタグＭａにデータが書き込まれる、又はＲＦＩＤタグＭａに書き込まれているデータがリーダライタにて読み出される、これらのうち少なくとも何れか一方を行うことを意味する。もちろん、「データ通信を行う」には、ＲＦＩＤタグＭａへの書き込み、及びＲＦＩＤタグＭａからの読み出しの両方を行うことや、書き込み及び読み出しを複数回繰り返して行うことも含まれる。なお、本実施形態における「データ」とは、印刷層Ｍｂの画像が消去されているか否か、消去された印刷層Ｍｂに次に印刷する画像が何であるか、画像の更新履歴、或いは書き換え回数等、ＲＦＩＤタグＭａ自体又はＲＦＩＤタグＭａを付帯した感熱記録媒体Ｍに関する情報等の何れか又は当該画像に関連する情報等を意味する。
【００２９】
上述した各部のうち、消去部３、運搬機構６、リーダライタ（第１リーダライタ７、第２リーダライタ８）及び印刷部４は筐体９内に配置されている。
【００３０】
次に、本実施形態に係るリライタブルプリンタ１の操作手順、動作及び作用について説明する。
【００３１】
先ず、印刷層Ｍｂに画像が印刷され発色状態にある感熱記録媒体Ｍを給紙部２の給紙トレイ２２にセットする。次いで、給紙口２１から消去部３に搬送された感熱記録媒体Ｍを下方から消去用プラテンローラ３２で押圧支持し、消去ヘッド３１により印刷層Ｍｂを加熱し、徐冷することにより印刷層Ｍｂの画像は消去される。引き続き、消去部３を通過して印刷層Ｍｂの画像が消去された消去状態にある感熱記録媒体Ｍは、図示しない送りローラで消去部３と印刷部４との間の搬送経路上に送られ、最下降位置（Ｕ）に位置付けた載置部６１に水平姿勢で載置される。感熱記録媒体ＭのＲＦＩＤタグＭａがＨＦ帯のものであれば、最下降位置（Ｕ）に位置付けた載置部６１に載置した時点で第１リーダライタ７と最も近接し、この第１リーダライタ７とデータ通信を行う。そして、搬送機構のリフト部６２により載置部６１が水平姿勢のまま上方へ移動する。載置部６１が最上昇位置（Ｔ）に到達した時点で、感熱記録媒体ＭのＲＦＩＤタグＭａは第２リーダライタ８に近接する。したがって、感熱記録媒体ＭのＲＦＩＤタグＭａがＵＨＦ帯のものであれば、載置部６１が最上昇位置（Ｔ）に到達した時点で第２リーダライタ８とデータ通信を行う。
【００３２】
ところで、同じ周波数帯のＲＦＩＤタグＭａであってもＲＦＩＤタグ全体（インレット）の形状が異なれば、リーダライタ（第１リーダライタ７、第２リーダライタ８）との最適な通信距離も異なる。つまり、ＲＦＩＤタグＭａがリーダライタ（第１リーダライタ７、第２リーダライタ８）に最も近接した時点がＲＦＩＤタグＭａとリーダライタ（第１リーダライタ７、第２リーダライタ８）との最適な通信距離とは限らない。
【００３３】
このような点を考慮し、本実施形態のリライタブルプリンタ１は、載置部６１に載置した感熱記録媒体ＭのＲＦＩＤタグＭａとリーダライタ（第１リーダライタ７、第２リーダライタ８）との相対距離を変更することによってＲＦＩＤタグＭａとリーダライタ（第１リーダライタ７、第２リーダライタ８）とで定まる固有の通信距離に調整する調整機構Ｘを備えている。本実施形態では、リフト部６２によって載置部６１を高さ方向に移動させることにより、この載置部６１に載置した感熱記録媒体ＭのＲＦＩＤタグＭａとリーダライタ（第１リーダライタ７、第２リーダライタ８）との相対距離を変更する。そして、感熱記録媒体ＭのＲＦＩＤタグＭａとリーダライタ（第１リーダライタ７、第２リーダライタ８）との相対距離が変更する過程で、各ＲＦＩＤタグＭａとリーダライタ（第１リーダライタ７、第２リーダライタ８）との最適な通信距離を自動的に検出し、その検出位置で載置部６１を一時的に停止させて、ＲＦＩＤタグＭａに対してデータ通信を行う。
【００３４】
すなわち、本実施形態では、運搬機構６が、「調整機構Ｘ」としても機能している。
【００３５】
また、リーダライタ（第１リーダライタ７、第２リーダライタ８）との最適な通信距離が一度検出されたＲＦＩＤタグＭａについては、そのＲＦＩＤタグＭａの種類（インレット形状）と検出された最適な通信距離とを相互に関連付けて、リライタブルプリンタ１自体の記憶部又はリライタブルプリンタ１に通信可能に接続したコンピュータの記憶部に記憶させる。そして、記憶部に記憶されたＲＦＩＤタグＭａと同種のＲＦＩＤタグＭａを付帯する感熱記録媒体Ｍが消去部３と印刷部４との間の搬送経路に搬送された場合、その感熱記録媒体Ｍは、付帯しているＲＦＩＤタグＭａの種類に関連付けて記憶されているリーダライタ（第１リーダライタ７、第２リーダライタ８）との最適な通信距離に調整機構Ｘ（本実施形態では運搬機構６）によって自動的に位置付けられ、リーダライタ（第１リーダライタ７、第２リーダライタ８）とデータ通信を行うように設定している。
【００３６】
ＲＦＩＤタグＭａの種類を識別してそのＲＦＩＤ（具体的にはそのＲＦＩＤを付帯した感熱記録媒体Ｍ）をリーダライタ（第１リーダライタ７、第２リーダライタ８）と最適な通信距離に位置付ける態様としては、給紙部２から消去部３までの間の所定箇所に設けたインレット形状読取手段によって読み取ったインレット形状に基づいてＲＦＩＤタグＭａの種類を識別し、そのＲＦＩＤタグＭａの種類と関連付けて記憶されている最適な通信距離に位置付ける態様が挙げられる。なお、ＲＦＩＤタグＭａの種類が目視で識別可能な場合には、その目視した情報に基づくＲＦＩＤタグＭａの種類をリライタブルプリンタ１自体の入力部又はリライタブルプリンタ１に通信可能に接続したコンピュータの入力部に入力し、その入力されたＲＦＩＤタグＭａの種類と関連付けて記憶されている最適な通信距離に位置付ける態様であってもよい。
【００３７】
本実施形態のリライタブルプリンタ１は、感熱記録媒体Ｍに付帯させたＲＦＩＤタグＭａを水平姿勢に保持したまま、垂直方向に離間して設けた第１リーダライタ７及び第２リーダライタ８に接離させることにより、第１リーダライタ７又は第２リーダライタ８がＲＦＩＤタグＭａに対して垂直方向からデータの読み出し及び書き込みを行えるようにしている。
【００３８】
載置部６１が最上昇位置（Ｔ）に到達した後、感熱記録媒体Ｍは、図示しない送りローラで印刷部４に搬送され、印刷用プラテンローラ４２に押圧支持された状態で、印刷ヘッド４１により印刷層Ｍｂを加熱し、急冷することにより、感熱記録媒体Ｍの印刷層Ｍｂに画像が印刷され、感熱記録媒体Ｍはその画像が目視可能な状態に発色した発色状態となる。印刷層Ｍｂに印刷される画像は、リーダライタ（第１リーダライタ７、第２リーダライタ８）とＲＦＩＤタグＭａとのデータ通信によりＲＦＩＤタグＭａに書き込まれたデータに基づく画像、又は予めユーザによって入力された画像である。
【００３９】
印刷部４を通過して発色状態にある感熱記録媒体Ｍは、図示しない送りローラで排紙部５の排紙口から外部へ排出され、排紙部５の排紙トレイに積み重ねられる。
【００４０】
このように、本実施形態に係るリライタブルプリンタ１は、感熱記録媒体Ｍを載置部６１に載置した状態で運搬機構６によって消去部３から印刷部４へ搬送する過程で、ＲＦＩＤタグＭａとリーダライタ（第１リーダライタ７、第２リーダライタ８）との通信距離を調整することにより、ＲＦＩＤタグＭａ全体（インレット）の形状が異なる場合であっても、各ＲＦＩＤタグＭａとリーダライタとの適正な通信距離を調整することができ、インレット形状の異なるＲＦＩＤに対しても適切なデータの読み出し又は書き出しを行うことができる。
【００４１】
さらに、運搬機構６が、載置部６１に載置した感熱記録媒体ＭのＲＦＩＤタグＭａとリーダライタ（第１リーダライタ７、第２リーダライタ８）との相対距離を変更することによってＲＦＩＤタグＭａとリーダライタ（第１リーダライタ７、第２リーダライタ８）との通信距離を調整する調整機構Ｘとして機能するため、別途専用の調整機構Ｘを設ける必要がなく、構造の簡素化及びコストの削減を図ることができる。
【００４２】
特に、本実施形態に係るリライタブルプリンタ１は、消去部３及び印刷部４を相互に高さ位置を異ならせて設け、運搬機構６の載置部６１を上下移動させる構成としているため、リライタブルプリンタ１を設置する設置面に直に接する面積、つまりリライタブルプリンタ１の設置面積を小さく抑え、リライタブルプリンタ１の大型化を防止することができるとともに、リーダライタ（第１リーダライタ７、第２リーダライタ８）を、上下移動する載置部６１に接離する位置に設けることにより、載置部６１の高さ方向に沿った直線移動を利用してリーダライタ（第１リーダライタ７、第２リーダライタ８）との相対距離を変更することができ、リーダライタ（第１リーダライタ７、第２リーダライタ８）を可動させる機構が不要となり、構造の簡素化が図られている。
【００４３】
加えて、リライタブルプリンタ１に複数のリーダライタ（第１リーダライタ７、第２リーダライタ８）を配置しているため、ＲＦＩＤタグＭａに対するデータ通信をより確実に行うことができる。本実施形態では、相互に異なる周波数帯に対応可能な第１リーダライタ７と第２リーダライタ８とを配置しているため、異なる周波数帯のＲＦＩＤタグＭａに対しても適切にデータ通信を行うことができる。
【００４４】
なお、本発明は上述した実施形態に限定されるものではない。例えば、上述した実施形態では、運搬機構６が調整機構Ｘを兼ねている態様を例示したが、これに限らず、調整機構が、所定位置で停止させた載置部に対してリーダライタを接離動作させることにより、載置部に載置した感熱記録媒体のＲＦＩＤタグとリーダライタとの相対距離を変更し、ＲＦＩＤタグとリーダライタとの通信距離を調整するものであってもよい。或いは、調整機構が、載置部及びリーダライタをそれぞれ相互に接離する方向に移動させることにより、載置部に載置した感熱記録媒体のＲＦＩＤタグとリーダライタとの相対距離を変更し、ＲＦＩＤタグとリーダライタとの通信距離を調整するものであっても構わない。
【００４５】
また、消去部と印刷部とを水平方向に並べて配置し、運搬機構が、消去部と印刷部との間の搬送経路上において載置部を水平方向に運搬するものであってもよい。この場合、調整機構は、水平方向に移動する載置部に載置した感熱記録媒体のＲＦＩＤタグとリーダライタとの相対距離を変更することによってＲＦＩＤタグとリーダライタとの通信距離を調整するものとなる。
【００４６】
また、消去部と印刷部との間の搬送経路上にリーダライタを１つだけ配置する態様であっても構わない。
【００４７】
感熱記録媒体は、シート状のものに限らず、カード状のものであってもよく、また、ＲＦＩＤタグ内蔵型に代えてＲＦＩＤタグを貼り付けたものであっても構わない。
【００４８】
その他、各部の具体的構成についても上記実施形態に限られるものではなく、本発明の趣旨を逸脱しない範囲で種々変形が可能である。
【符号の説明】
【００４９】
１…リライタブルプリンタ
３…消去部
４…印刷部
６…運搬機構
６１…載置部
７、８…リーダライタ（第１リーダライタ、第２リーダライタ）
Ｍ…感熱記録媒体
Ｍａ…ＲＦＩＤタグ
Ｍｂ…印刷層
Ｘ…調整機構
【図１】
2010231544.tif 000003
【図２】
2010231544.tif 000004
【図３】
2010231544.tif 000005
【図４】
2010231544.tif 000006